(57)【要約】【課題】地面の状態によらず、確実且つ容易に立設できる支持柱を提供する。【解決手段】第１の区域と第２の区域を区切る区画壁を張設するための支持柱であって、支持柱本体の一端に設けられ、支持柱を支持柱本体の一端が下側となるように立設するとき、地中に杭打ちされる第１の脚と、支持柱の他端に設けられ、支持柱を支持柱本体の他端が下側となるように立設するとき、支持柱の長手方向に対して略直交する方向に放射状に開脚し、支持柱を支持柱本体の他端が下側となるように立設しないとき、支持柱の長手方向に閉脚する第２の脚とを備える支持柱。【選択図】図１
2011140788.tif 000002
【特許請求の範囲】
【請求項１】
第１の区域と第２の区域を区切る区画壁を張設するための支持柱であって、
支持柱本体の一端に設けられ、前記支持柱を前記支持柱本体の一端が下側となるように立設するとき、地中に杭打ちされる第１の脚と、
前記支持柱の他端に設けられ、前記支持柱を前記支持柱本体の他端が下側となるように立設するとき、前記支持柱の長手方向に対して略直交する方向に放射状に開脚し、前記支持柱を前記支持柱本体の他端が下側となるように立設しないとき、前記支持柱の長手方向に閉脚する第２の脚と、を備える
ことを特徴とする支持柱。
【請求項２】
前記第２の脚は、略均等の間隔を有して放射状に開脚する３本以上の脚である
ことを特徴とする請求項１に記載の支持柱。
【請求項３】
前記第１の脚を使用しないときに前記第１の脚を被覆するキャップ
を更に備えたことを特徴とする請求項１に記載の支持柱。
【請求項４】
前記第２の脚を使用しないときに前記第２の脚を閉脚した状態で固定する固定具
を更に備えたことを特徴とする請求項１に記載の支持柱。
【請求項５】
前記支持柱本体の内部は中空であり、
前記第１の脚の地中に杭打ちされる側とは反対側の方向に延在する延在脚を更に備え、
前記支持柱本体と前記第１の脚は、前記延在脚が所定距離だけ前記支持柱本体の内部に挿通された状態又は前記支持柱本体から突出した状態となるように、前記延在脚の移動を規制する規制部材を有する
ことを特徴とする請求項１に記載の支持柱。
【発明の詳細な説明】
【技術分野】
【０００１】
本発明は、支持柱に関する。
【背景技術】
【０００２】
例えば、変電所構内等の電気設備について点検や修理等の作業を行う場合、作業対象となる電気設備毎に通電を遮断してから作業を開始する。この場合、作業者が誤って通電している電気設備に接近、接触してしまわないように、変電所構内を区画して、通電している電気設備が設置されている区域と、通電を遮断している電気設備が設置されている区域とを明示しておく必要がある。そこで、これらの区域を区切る区画壁を張設するための支持柱が知られている（例えば、特許文献１参照）。この支持柱によって変電所構内を区画する場合、予め地中に支持柱を挿入するための支持金具を埋設しておく。そして、支持柱の下端を支持金具に挿入することで、区画する電気設備の周囲に所定間隔毎に支持柱を立設し、隣り合う支持柱どうしの間にネット等の区画壁を張設する。
【先行技術文献】
【特許文献】
【０００３】
【特許文献１】実用新案登録第３０７９８０４号
【発明の概要】
【発明が解決しようとする課題】
【０００４】
しかしながら、前述した支持柱を立設するためには、予め支持金具を地中に埋設しておく必要があり、支持金具を埋設していない場所には支持柱を立設することができない。よって、支持柱を立設するための作業が煩雑になると共に支持柱を立設できる場所が限定される虞があった。
【０００５】
本発明はかかる課題に鑑みてなされたものであり、その目的とするところは、地面の状態によらず、確実且つ容易に立設できる支持柱を提供することにある。
【課題を解決するための手段】
【０００６】
前記課題を解決するための発明は、第１の区域と第２の区域を区切る区画壁を張設するための支持柱であって、支持柱本体の一端に設けられ、前記支持柱を前記支持柱本体の一端が下側となるように立設するとき、地中に杭打ちされる第１の脚と、前記支持柱の他端に設けられ、前記支持柱を前記支持柱本体の他端が下側となるように立設するとき、前記支持柱の長手方向に対して略直交する方向に放射状に開脚し、前記支持柱を前記支持柱本体の他端が下側となるように立設しないとき、前記支持柱の長手方向に閉脚する第２の脚とを備える支持柱である。
【０００７】
この支持柱では、土やバラス敷き等の地面に対しては、第１の脚を下側にし、地中に杭打ちすることで確実に立設でき、アスファルト等で舗装された地面に対しては、第２の脚を下側にし、開脚させて地面に設置することで確実に立設できる。つまり、この支持柱は、立設するべき地面の状態に応じて、支持柱の上下を逆にすることで、確実且つ容易に地面に立設することができる。また、この支持柱では、第２の脚が下側となるように立設しないときには、第２の脚を支持柱の長手方向に閉脚することができるため、第１の脚によって立設しているときや、運搬時及び保管時等に嵩張ることを防止できる。
【０００８】
また、かかる支持柱において、前記第２の脚は、略均等の間隔を有して放射状に開脚する３本以上の脚であることが好ましい。  
この支持柱では、略均等の間隔を有して放射状に開脚する３本以上の脚がアスファルト等で舗装された地面に接触するため、第２の脚によって、より確実に立設することができる。
【０００９】
また、かかる支持柱において、前記第１の脚を使用しないときに前記第１の脚を被覆するキャップを更に備えることが好ましい。  
この支持柱によれば、第１の脚を使用しないときには、第１の脚をキャップによって被覆することができるため、第２の脚によって立設しているときや運搬時等に第１の脚が外部と接触することを防止でき、安全性を高めることができる。また、第１の脚を雨水等から保護することができる。
【００１０】
また、かかる支持柱において、前記第２の脚を使用しないときに前記第２の脚を閉脚した状態で固定する固定具を更に備えることが好ましい。  
この支持柱によれば、第２の脚を使用しないときに、第２の脚を確実に閉脚した状態とすることができるため、第１の脚を地中に杭打ちする際や運搬の際等に、第２の脚が開脚してしまうことを防止でき、立設作業が容易となる。
【００１１】
また、かかる支持柱において、前記支持柱本体の内部は中空であり、前記第１の脚の地中に杭打ちされる側とは反対側の方向に延在する延在脚を更に備え、前記支持柱本体と前記第１の脚は、前記延在脚が所定距離だけ前記支持柱本体の内部に挿通された状態又は前記支持柱本体から突出した状態となるように、前記延在脚の移動を規制する規制部材を有することが好ましい。  
この支持柱によれば、第１の脚によって立設する場合に、第１の脚の地中に杭打ちされる側を地面に接触させた状態で、支持柱本体を延在脚の長手方向に沿って移動させることができる。このとき、支持柱本体に対する延在脚の移動は、支持柱本体に設けられた規制部材と第１の脚に設けられた規制部材とが接触することで、所定距離に規制される。このため、支持柱を第１の脚によって立設するべく、支持柱本体から突出させた延在脚を支持柱本体の内部に挿通する際に、支持柱本体の規制部材と第１の脚の規制部材とが打ち付けられ、第１の脚を地面に杭打ちすることができる。よって、ハンマー等を用いることなく第１の脚を地面に杭打ちすることができるため、支持柱を容易に立設することができる。
【００１２】
本発明の他の特徴については、添付図面及び本明細書の記載により明らかとなる。
【発明の効果】
【００１３】
本発明によれば、地面の状態によらず、確実且つ容易に立設できる支持柱を提供することができる。
【図面の簡単な説明】
【００１４】
【図１】本実施形態にかかる支持柱の斜視図である。
【図２】図１に示す支持柱を長手方向に沿って切断した場合の断面図である。
【図３】（ａ）は、第２の脚が閉脚している場合の、支持柱本体の一部及び開閉脚の一部の側面図であり、（ｂ）は、（ａ）に示す支持柱本体の一部及び開閉脚の一部の正面図であり、（ｃ）は、第２の脚が閉脚している場合の、支持柱の第２の脚側の端面を示す図である。
【図４】（ａ）は、第２の脚が開脚している場合の、支持柱本体の一部及び開閉脚の一部の側面図であり、（ｂ）は、（ａ）に示す支持柱本体の一部の正面及び開閉脚の端面を示す図であり、（ｃ）は、第２の脚が開脚している場合の、支持柱の第２の脚側の端面を示す図である。
【図５】（ａ）は、第１の脚からキャップを取り外したときの支持柱の正面図であり、（ｂ）は、第２の脚を被覆するようにキャップを取り付けたときの支持柱の正面図である。
【図６】（ａ）は、杭打脚を地中に杭打ちする場合について説明するための図であり、（ｂ）は、（ａ）に示す支持柱を長手方向に沿って切断した場合の断面図である。
【図７】（ａ）は、杭打脚を地中に杭打ちする場合について説明するためのその他の図であり、（ｂ）は、（ａ）に示す支持柱を長手方向に沿って切断した場合の断面図である。
【図８】第１の脚によって立設した支持柱にネットを張設した場合の正面図である。
【図９】第２の脚によって支持柱を立設する場合について説明するための図である。
【図１０】第２の脚によって立設した支持柱にネットを張設した場合の正面図である。
【図１１】その他の実施形態にかかる支持柱について説明するための図である。
【発明を実施するための形態】
【００１５】
本明細書及び添付図面の記載により、少なくとも以下の事項が明らかとなる。
【００１６】
===支持柱の構成===
本実施形態にかかる支持柱１の構成の一例について、図１乃至図４を参照して説明する。図１は、キャップ４０が第１の脚２０を被覆し、第２の脚３０が閉脚している場合の支持柱１の斜視図である。図２は、図１に示す支持柱１を長手方向に沿って切断した場合の断面図である。
【００１７】
図３（ａ）は、第２の脚３０が閉脚している場合の、支持柱本体１０の一部及び開閉脚３１の一部の側面図である。尚、図３（ａ）では、説明の便宜上、開閉脚３１を１本のみ示し、その他の開閉脚３１については省略している。これは、図３（ｂ）、図４（ａ）、図４（ｂ）についても同様である。図３（ｂ）は、図３（ａ）に示す支持柱本体１０の一部及び開閉脚３１の一部の正面図である。図３（ｃ）は、開閉脚３１が閉脚している場合の、支持柱１の第２の脚３０側の端面を示す図である。
【００１８】
図４（ａ）は、第２の脚３０が開脚している場合の、支持柱本体１０の一部及び開閉脚３１の一部の側面図である。図４（ｂ）は、図４（ａ）に示す支持柱本体１０の一部の正面及び開閉脚３１の端面を示す図である。図４（ｃ）は、開閉脚３１が開脚している場合の、支持柱１の第２の脚３０側の端面を示す図である。尚、図４（ｃ）では、開閉脚３１の一部について省略している。
【００１９】
支持柱１は、例えば変電所構内を、通電している電気設備が設置されている第１の区域と、通電を遮断している電気設備が設置されている第２の区域とに区切る区画壁を張設するべく、土やバラス敷きの地面やアスファルト等で舗装された地面等に対して立設される。この支持柱１は、支持柱本体１０の一端側に設けられる第１の脚２０と、支持柱本体１０の他端側に設けられる第２の脚３０と、第１の脚２０又は第２の脚３０を選択的に被覆するキャップ４０とを備えている。
【００２０】
<<<支持柱本体について>>>
図２に示すように、支持柱本体１０は、例えば金属製であり、第１の脚２０側の一端のみが開口した中空の円筒形状を呈している。支持柱本体１０は、規制部材１１と、雄ネジ１２、１３と、突片１４と、張設フック１５とを備えている。
【００２１】
規制部材１１は、例えば金属製のリング形状を呈し、支持柱本体１０の開口側の端部の内周縁に一体に設けられている。雄ネジ１２は、支持柱本体１０の第１の脚２０側の外周面に形成されている。同様に雄ネジ１３は、支持柱本体１０の第２の脚３０側の外周面にも形成されている。
【００２２】
図３（ｂ）及び図４（ｃ）に示すように、突片１４は、支持柱本体１０の第２の脚３０側の端面から突出し、対向する一対の突片１４が５組、同端面の円周に沿って夫々等間隔となるように設けられている。また、一対の突片１４の間に夫々ピン３２が挿通されるように各突片１４の中心には挿通孔１４ａが形成されている。
【００２３】
張設フック１５は、後述するように、立設された支持柱１同士の間にネット等の区画壁を張設する際に、ネットの端部に設けられた紐等が掛けられる部材である。図１に示すように、張設フック１５は、支持柱本体１０の雄ネジ１２、１３の間の側面から突出し、支持柱本体１０の長手方向に沿って一対設けられている。
【００２４】
<<<第１の脚について>>>
図２に示すように、第１の脚２０は、支持柱本体１０の一端側に設けられ、杭打脚２１と、延在脚２２と、規制部材２３、２４とを備えている。杭打脚２１は、例えば金属製であり、円柱形状の胴体及び円錐形状の先端を有している。この杭打脚２１は、支持柱１を第１の脚２０によって立設するときに、土やバラス敷き等の地面に対して先端側から杭打ちされる。規制部材２３は、例えば、杭打脚２１の後端側の周面と一体に形成され、規制部材１１の開口の直径より長い直径のフランジ形状を呈している。
【００２５】
延在脚２２は、杭打脚２１の後端から延在するように杭打脚２１と一体に形成され、規制部材１１の開口よりも短い直径の円柱形状を呈している。また、この延在脚２２は、規制部材１１の開口を介して、支持柱本体１０の内部に挿通される方向及び同内部から突出する方向に移動する。規制部材２４は、支持柱本体１０の内部において、延在脚２２の杭打脚２１と反対側の一端に一体に形成され、規制部材１１の開口の直径より長い直径の円柱形状を呈している。
【００２６】
この第１の脚２０では、延在脚２２は、規制部材２３と規制部材１１との対向する面同士が接触するまで、支持柱本体１０の内部に挿通される方向に移動し、規制部材２４と規制部材１１との対向する面同士が接触するまで、支持柱本体１０から突出する方向に移動する。つまり、図２に示すように、延在脚２２は、延在脚２２の長手方向の長さと同じ距離（ｄ１）だけ、支持柱本体１０の内部に挿通された状態となり、この距離（ｄ１）から規制部材１１の厚さ（ｄ２）を引いた距離（ｄ３）だけ、支持柱本体１０から突出した状態となるように、規制部材１１、２３、２４によって移動が規制されている。
【００２７】
<<<第２の脚について>>>
第２の脚３０は、支持柱本体１０の他端に夫々突片１４を介して設けられ、支持柱１の長手方向に閉脚するか、同長手方向に対して直交する方向に均等の間隔を有して放射状に開脚する５本の開閉脚３１を備えている。放射状に開脚した開閉脚３１が夫々、アスファルト等で舗装された地面等に設置されることで、第２の脚３０によって支持柱１が立設される。
【００２８】
図３（ｃ）に示すように、５本の開閉脚３１は、夫々閉脚すると、支持柱本体１０と同じ直径を有すると共に、内部に正五角柱形状の中空を有する円柱形状を呈することになる。つまり、開閉脚３１夫々は、この円柱形状の周面を５等分した弧状の側面と、この正五角柱形状の側面の一つを形成する平面状の側面とを有している。
【００２９】
開閉脚３１は夫々、突片３１ａと、固定具３１ｂと、ゴム部材３１ｃとを有している。突片３１ａは、開閉脚３１の支持柱本体１０側の端面に夫々形成され、支持柱本体１０に形成された一対の突片１４の間に挿入されている。そして、突片３１ａの中心には、挿通孔３１ｄが形成され、突片１４の挿通孔１４ａと共通にピン３２が挿通され固定されている。これによって、開閉脚３１は夫々、支持柱本体１０に回動可能に取り付けられており、図４(ａ)乃至図４（ｃ）に示すように、支持柱本体１０の長手方向と直交する方向に開脚する。
【００３０】
尚、開閉脚３１の開脚方向への移動は、突片３１ａと支持柱本体１０の第２の脚３０側の端面とが接触することによって、支持柱本体１０の長手方向と直交する方向までに規制される。このように開閉脚３１の移動を規制することで、前述した開閉脚３１の平面状の側面（以下、設置側面と称する）を地面に対して水平となるように維持して設置できるため、支持柱１をより確実に立設することができる。
【００３１】
固定具３１ｂは、開閉脚３１を夫々閉脚したときに互いに隣接する開閉脚３１の側面に設けられる永久磁石である。開閉脚３１を閉脚したときに、隣接する固定具３１ｂ同士が磁力によって引き合うため、開閉脚３１は閉脚した状態で保持される。これによって、第１の脚２０の杭打脚２１を地中に杭打ちする際や、支持柱１を運搬する際等に、第２の脚３０が開脚してしまうことを防止でき、立設作業を容易にできる。
【００３２】
ゴム部材３１ｃは、開閉脚３１の設置側面に設けられ、開閉脚３１を夫々開脚して地面に設置するときに、地面に水平に接触する。ゴム部材３１ｃによって、地面に対して支持柱１が滑りにくくなるため、支持柱１をより確実に立設することができる。
【００３３】
<<<キャップについて>>>
キャップ４０は、例えば金属製であり、一端のみが開口した中空の円筒形状を呈し、内径が支持柱本体１０の直径以上の長さとなっている。また、キャップ４０は、開口側に雄ネジ１２、１３と螺合する雌ネジ４１を有している。第１の脚２０をキャップ４０の内部に挿通し、雄ネジ１２と雌ネジ４１とを螺合させることで、第１の脚２０をキャップ４０で被覆することができる。第１の脚２０を使用しないときに、キャップ４０によって第１の脚２０を被覆することで、杭打脚２１の先端が外部に接触すること等を防止でき、支持柱１の安全性を高めることができる。また、延在脚２２が支持柱本体１０の内部に収容された状態を維持できるため、支持柱１の運搬や保管等を容易にできる。さらに、支持柱１を第２の脚３０によって立設しているときに、第１の脚２０を雨水等から保護することができる。
【００３４】
また、第２の脚３０の開閉脚３１を夫々閉脚した状態でキャップ４０の内部に挿通し、雄ネジ１３と雌ネジ４１とを螺合させることで、第２の脚３０をキャップ４０で被覆することができる。第２の脚３０を使用しないときに、キャップ４０によって第２の脚３０を被覆することで、第１の脚２０の杭打脚２１を地中に杭打ちする際等に、開閉脚３１が開閉してしまうことを確実に防止でき、支持柱１を立設する作業を容易にできる。また、支持柱１を第１の脚２０によって立設しているときに、第２の脚３０を雨水等から保護することができる。
【００３５】
===支持柱による区画===
<<<支持柱を第１の脚が下側となるように立設する場合>>>
支持柱１を第１の脚２０によって立設し、変電所構内等を区画する場合について、図５乃至図８を参照して説明する。図５（ａ）は、第１の脚２０からキャップ４０を取り外したときの支持柱１の正面図である。図５（ｂ）は、第２の脚３０を被覆するようにキャップ４０を取り付けたときの支持柱１の正面図である。図６（ａ）は、杭打脚２１を地中に杭打ちする場合について説明するための図である。図６（ｂ）は、図６（ａ）に示す支持柱１を長手方向に沿って切断した場合の断面図である。図７（ａ）は、杭打脚２１を地中に杭打ちする場合について説明するためのその他の図である。図７（ｂ）は、図７（ａ）に示す支持柱１を長手方向に沿って切断した場合の断面図である。図８は、第１の脚２０によって立設した支持柱１にネット５０を張設した場合の正面図である。
【００３６】
支持柱１は、例えば、変電所構内を第１及び第２の区域に区画するべく、第１及び第２の区域の形状等に合わせて、例えば５ｍ〜１０ｍの間隔（以下、立設間隔と称する）毎に立設される。また、支持柱１は、支持柱本体１０に第１の脚２０を被覆するようにキャップ４０が取り付けられると共に開閉脚３１が閉脚された状態で、支持柱１を立設するべき場所まで運搬される。そして、支持柱１は、支持柱１を立設するべき地面が土やバラス敷き等である場合、第１の脚２０によって立設される。
【００３７】
支持柱１を第１の脚２０によって立設する場合、先ず、図５（ａ）及び図５（ｂ）に示すように、キャップ４０を支持柱本体１０から取り外し、支持柱１の第１の脚２０を下側に向ける。尚、支持柱本体１０から取り外したキャップ４０を、第２の脚３０を被覆するように付け替えてもよい。この場合、第２の脚３０の開閉脚３１が開脚してしまうことをより確実に防止できるため、支持柱１を立設する作業をより容易にできる。また、雨水等から第２の脚３０を保護することができる。
【００３８】
次に、例えば、図６（ａ）及び図６（ｂ）に示すように、地面に杭打脚２１の先端を接触させ、規制部材１１、２４によって規制されるまでの範囲内で、白抜き矢印Ａの示す方向に支持柱本体１０を移動させる。これによって、支持柱本体１０から延在脚２２を突出させる。そして、図７（ａ）及び図７（ｂ）に示すように、突出させた延在脚２２を支持柱本体１０の内部に挿通するように、白抜き矢印Ｂの示す方向に支持柱本体１０を移動させて、規制部材１１、２３の対向する面同士を打ち付けるように接触させる。これによって、杭打脚２１は地面に杭打ちされる。
【００３９】
尚、杭打脚２１の先端が地面に接触しないように支持柱１を地面から持ち上げることで、延在脚２２を支持柱本体１０から突出させてもよい。このように延在脚２２を突出させた後、支持柱本体１０を図６の白抜き矢印Ａの示す方向に移動させることで、杭打脚２１の先端を地面に接触させると共に、規制部材１１、２３の対向する面同士を打ち付けるように接触させて、杭打脚２１を地面に杭打ちしてもよい。
【００４０】
更に、延在脚２２に対して、支持柱本体１０を規制部材１１、２４によって規制されるまでの範囲内で移動させて、規制部材１１、２３の対向する面同士を打ち付ける動作を、例えば杭打脚２１全体が地中に杭打ちされるまで繰り返すことで、支持柱１を第１の脚２０によって立設することができる。これによって、ハンマー等を用いる必要がなく、立設作業を容易にできる。
【００４１】
そして、図８に示すように、立設間隔毎に立設した支持柱１の間に、区画壁としてネット５０を張設する。ネット５０は、例えば、支持柱１の一対の張設フック１５の間の距離と略等しい長さの一辺と、立設間隔と略等しい長さの他辺とを有する矩形形状を呈し、四隅に紐５１を備えている。例えば、隣り合う支持柱１の張設フック１５同士が夫々向き合うように支持柱本体１０を回転させた後、紐５１を張設フック１５に夫々結びつけることで、支持柱１の間にネット５０を張設できる。
【００４２】
このように、土やバラス敷き等の地面に対しては、第１の脚２０を下側に向けて、杭打脚２１を地中に杭打ちすることで、支持柱１を立設する。そして、支持柱１を第１及び第２の区域の境界に立設間隔毎に立設し、支持柱１同士の間にネット５０を張設することで、変電所構内等を第１及び第２の区域に区画する。
【００４３】
<<<支持柱を第２の脚が下側となるように立設する場合>>>
支持柱１を第２の脚３０によって立設し、変電所構内等を区画する場合について、図９及び図１０を参照して説明する。図９は、支持柱１を第２の脚３０によって立設する場合について説明するための図である。図１０は、第２の脚３０によって立設した支持柱１にネット５０を張設した場合の正面図である。
【００４４】
支持柱１は、支持柱１を立設するべき地面がアスファルト等で舗装された地面等である場合、第２の脚３０によって立設される。第２の脚３０によって支持柱１を立設する場合、例えば、図９及び図１０に示すように、支持柱１の第２の脚３０を下側に向けて、開閉脚３１を夫々支持柱本体１０の長手方向と直交する方向に開脚させる。そして、放射状に開脚した５本の開閉脚３１夫々をゴム部材３１ｃが地面に接触するように設置することで、支持柱１を第２の脚３０によって立設できる。
【００４５】
そして、図９に示すように、立設間隔毎に立設した支持柱１の間にネット５０を張設する。尚、第２の脚３０によって立設した支持柱１に対しても、前述した第１の脚２０によって立設した支持柱１に対してネット５０を張設する場合と同様にネット５０を張設することができる。
【００４６】
このように、アスファルト等で舗装された地面等に対しては、第２の脚３０を下側に向けて、開脚させた開閉脚３１を地面に設置することで、支持柱１を立設する。そして、前述したように、支持柱１を第１及び第２の区域の境界に立設間隔毎に立設し、支持柱１同士の間にネット５０を張設することで、変電所構内等を第１及び第２の区域に区画する。
【００４７】
以上より、支持柱１では、例えば、凹凸を有する土やバラス敷き等、開脚させた開閉脚３１を安定に設置することが困難な地面であっても、第１の脚２０を下側に向けて、杭打脚２１を杭打ちすることによって、確実に立設することができる。また、例えば、アスファルト等で舗装され、杭打脚２１を杭打ちすることが困難な地面であっても、第２の脚３０を下側に向けて、開脚させた開閉脚３１を設置することによって、確実に立設することができる。つまり、支持柱１では、地面の状態によらず確実に立設できると共に、地面の状態に応じた異なる支持柱を準備して使い分ける必要がなく容易に立設できる。
【００４８】
また、支持柱１では、開閉脚３１を支持柱本体１０の長手方向に閉脚することができるため、支持柱１を運搬や保管するときや、第１の脚２０によって立設しているとき等、第２の脚３０を使用していないときに嵩張ることを防止できる。
【００４９】
===その他の実施形態===
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００５０】
前述した支持柱１の固定具３１ｂは、開閉脚３１を夫々閉脚したときに互いに隣接する開閉脚３１の側面に設けられる永久磁石であることとしたが、特にこれに限定されるものではない。固定具は、例えば、開閉脚３１を閉脚した状態で束ねておくことができるような、紐、面ファスナー等であってもよい。
【００５１】
また、前述した支持柱１では、延在脚２２や規制部材１１、２３、２４等を備えることとし、規制部材１１、２３の対向する面同士を打ち付けるように接触させることで、杭打脚２１を地面に杭打ちすることとした。しかし、特にこれに限定されるものではなく、杭打脚２１は支持柱本体１０の一端に固定されることとしてもよい。そして、支持柱本体１０に第２の脚３０を被覆するように取り付けられたキャップ４０の端部等をハンマーで叩くことで、杭打脚２１を杭打ちしてもよい。
【００５２】
また、前述した支持柱１では、第２の脚３０は、５本の開閉脚３１を備えることとしたが、特にこれに限定されるものではなく、３本以上の開閉脚３１を備えていればよい。
【００５３】
また、前述した支持柱１では、突片３１ａと支持柱本体１０の第２の脚３０側の端面とが接触することによって、開閉脚３１の開脚方向への移動が支持柱本体１０の長手方向と直交する方向までに規制されることとした。しかし、特にこれに限定されるものではなく、例えば、開閉脚３１を夫々開脚方向へ移動させるときに、開閉脚３１が支持柱本体１０の長手方向と直交する方向まで開脚しないように、支持柱本体１０の第２の脚３０側の端面に、突片３１ａと接触する突出部が形成されていてもよい。これによって、開閉脚３１を夫々開脚させるときに、開閉脚３１の開脚方向への移動が突片３１ａと突出部とが接触するまでの範囲に規制されるため、開閉脚３１を支持柱本体１０の長手方向と直交する方向まで開脚させない状態で維持できる。この支持柱では、突片１４と反対側の開閉脚３１の端部を地面に設置することで立設できるため、バラス敷き等の地面に対しても、第２の脚３０によって、確実に立設することができる。
【００５４】
また、前述したキャップ４０は、図１１に示すように、例えば、支持柱１によって区画された区域内が作業中であることや、同区域内の電気設備が通電中であること等、支持柱１が立設されている場所の周辺の情報等を表示するための表示具６０が装着されてもよい。この表示具６０は、表示内容が示された表示板６１と、表示板６１に取り付けられ、表示具６０をキャップ４０に着脱可能に装着する装着部材６２とを有している。装着部材６２は、例えば、キャップ４０の端部を差し込むこと及び差し込んだキャップ４０を抜き取ることができる挿通孔６２ａを備えている。挿通孔６２ａにキャップ４０を差し込むことで表示具６０をキャップ４０に装着でき、挿通孔６２ａからキャップ４０を抜き取ることで表示具６０をキャップ４０から取り外すことができる。
【符号の説明】
【００５５】
１…支持柱，１０…支持柱本体，１１、２３、２４…規制部材，
１２、１３…雄ネジ，１４、３１ａ…突片，１４ａ、３１ｄ、６２ａ…挿通孔，
１５…張設フック，２０…第１の脚，２１…杭打脚，２２…延在脚，
３０…第２の脚，３１…開閉脚，３１ｂ…固定具，３１ｃ…ゴム部材，
３２…ピン，４０…キャップ，４１…雌ネジ，５０…ネット，５１…紐，
６０…表示具，６１…表示板，６２…装着部材
【図１】
2011140788.tif 000003
【図２】
2011140788.tif 000004
【図３】
2011140788.tif 000005
【図４】
2011140788.tif 000006
【図５】
2011140788.tif 000007
【図６】
2011140788.tif 000008
【図７】
2011140788.tif 000009
【図８】
2011140788.tif 000010
【図９】
2011140788.tif 000011
【図１０】
2011140788.tif 000012
【図１１】
2011140788.tif 000013